(57)【特許請求の範囲】
【請求項１】
断熱構造の庫内空間に、複数の商品収納部がそれぞれ温度制御可能に設けられた自動販売機において前記各商品収納部の温度設定を切り換える冷温切換制御装置であって、
前記各商品収納部毎に、商品収納部の温度設定を切り換える温度切換押釦スイッチを設け、
前記各商品収納部毎に、前記温度切換押釦スイッチの押し操作に応じて商品収納部の温度設定を切り換える温度設定切換部を設け、
前記各温度設定切換部において設定された各商品収納部の温度設定を表示する表示手段を設け、
前記各温度設定切換部は、前記温度切換押釦スイッチが押されている時間を計測し、所定時間以上連続して押し操作されたときのみ、前記温度設定の切り換えを実行すること
を特徴とする自動販売機の冷温切換制御装置。
【請求項２】
前記各温度設定切換部は、前記温度切換押釦スイッチが押されている時間が前記所定時間未満のとき、所定時間以上前記温度切換押釦スイッチを押すように促すガイダンスを前記表示手段により表示させること
を特徴とする請求項１に記載の自動販売機の冷温切換制御装置。
【請求項３】
前記各温度設定切換部は、前記温度切換押釦スイッチが押されている時間が異常に長いとき、前記温度切換押釦スイッチの押し操作による温度設定の変更をせずに、現状の温度設定を維持すること
を特徴とする請求項１または請求項２に記載の自動販売機の冷温切換制御装置。
【請求項４】
断熱構造の庫内空間に、複数の商品収納部がそれぞれ温度制御可能に設けられた自動販売機において前記各商品収納部の温度設定を切り換える冷温切換制御装置であって、
前記各商品収納部毎に、商品収納部の温度設定を切り換える温度切換押釦スイッチを設け、
前記各商品収納部毎に、前記温度切換押釦スイッチの押し操作に応じて商品収納部の温度設定を切り換える温度設定切換部を設け、
前記各温度設定切換部において設定された各商品収納部の温度設定を表示する表示手段を設け、
前記各温度設定切換部における前記温度設定の切り換えをロックし、また解除する温度設定切換ロック部を設け、
前記温度設定切換ロック部は、いずれかの前記温度切換押釦スイッチが操作されると、その操作時間を計測し、前記操作された温度切換押釦スイッチが所定時間以上連続して押し操作されたとき、前記各温度設定切換部の前記温度設定の切り換えのロックを解除し、前記表示手段によりそのロックの解除を表示させ、
前記各温度設定切換部は、前記温度設定切換ロック部により前記温度設定の切り換えのロックが解除され、各温度設定切換部に対応する温度切換押釦スイッチが操作されると、温度設定の切り換えを行い、前記表示手段により前記切り換えた温度設定を表示させること
を特徴とする自動販売機の冷温切換制御装置。
【請求項５】
前記温度設定切換ロック部は、前記温度設定の切り換えのロックを解除した後、所定時間、前記温度切換押釦スイッチが操作されないと、または前記所定時間内に前記温度切換押釦スイッチが操作され、その後、前記所定時間経過すると、前記各温度設定切換部の温度設定の切り換えをロックすること
を特徴とする請求項４に記載の自動販売機の冷温切換制御装置。
【請求項６】
前記温度設定切換ロック部は、最初にいずれかの前記温度切換押釦スイッチが操作されると、前記表示手段により所定時間以上前記温度切換押釦スイッチを押すように促すガイダンスを表示させること
を特徴とする請求項４または請求項５に記載の自動販売機の冷温切換制御装置。
【請求項７】
外扉の開状態にあることを検知する外扉開検知手段を設け、
前記各温度設定切換部は、前記外扉開検知手段により外扉の開状態にあることが検知されていることを条件として、前記温度設定の切り換えを実行すること
を特徴とする請求項１〜請求項６のいずれか１項に記載の自動販売機の冷温切換制御装置。
【発明の詳細な説明】
【技術分野】
【０００１】
本発明は、断熱構造の庫内空間に、複数の商品収納部がそれぞれ温度制御可能に設けられた自動販売機において、前記各商品収納部で調整される温度設定を切り換える冷温切換制御装置に関するものである。
【背景技術】
【０００２】
自動販売機の中に、断熱構造の庫内空間に設けられた複数の商品収納部毎に、商品収納部内の温度を調整できるようにされた自動販売機がある。
このような自動販売機では、例えば特許文献１に記載されているように、複数の商品収納部を、冷（ＣＯＬＤ）専用商品収納部、温（ＨＯＴ）又は冷（ＣＯＬＤ）商品収納部に設定し、各商品収納部の温度を温（ＨＯＴ）又は冷（ＣＯＬＤ）に調整している。また温（ＨＯＴ）又は冷（ＣＯＬＤ）商品収納部において、温度設定を温（ＨＯＴ）とするか冷（ＣＯＬＤ）とするかは、冷温切換スイッチにより設定している。この冷温切換スイッチが、冷温切換手段を構成している。
【０００３】
このような冷温切換手段として、自動販売機の外扉裏面に、例えば、各温（ＨＯＴ）又は冷（ＣＯＬＤ）商品収納部毎にスライドスイッチを設け、スライドスイッチの切り換えにより温（ＨＯＴ）又は冷（ＣＯＬＤ）の温度の設定を行うとともに、スイッチ（摘み部）の位置により、各商品収納部が温（ＨＯＴ）又は冷（ＣＯＬＤ）のいずれに設定されているかを判別できるようにしている。
【０００４】
また冷温切換手段として、自動販売機の外扉裏面に、サービスマンが意図しないにもかかわらず、手がスイッチに当たって冷温設定が切り換えられることがないように、例えば、温度設定ロック解除用押釦スイッチを設け、各商品収納部毎に温度切換用押釦スイッチおよび設定が温（ＨＯＴ）または冷（ＣＯＬＤ）であることを表示するランプを設ける。このとき、温度設定ロック解除用押釦スイッチをまず押し操作し、続いて各商品収納部毎に温度切換用押釦スイッチを押し操作して、温度設定を温（ＨＯＴ）または冷（ＣＯＬＤ）に切り換える。これに伴い、表示ランプの点灯を切り換える。なお、冷温切換スイッチや表示ランプは、例えば、自動販売機の外扉裏面部にカールコードを介して接続されたリモコン装置等に設けられる。
【０００５】
また各商品収納部を、温（ＨＯＴ）と冷（ＣＯＬＤ）の中間的な温度、例えば常温の２０℃に調整できる自動販売機が、特許文献２に記載されている。
【特許文献１】特開平９−２３１４５７号公報
【特許文献２】特開平７−２９６２３７号公報
【発明の開示】
【発明が解決しようとする課題】
【０００６】
しかしながら、従来の自動販売機において、冷温切換手段をスライドスイッチとした場合、自動販売機として能力的に不可能な各商品収納部の温度設定の組み合わせ、例えば、全商品収納部が、温（ＨＯＴ）に設定される組み合わせが、物理的に選択されてしまう恐れがあり、自動販売機では、各商品収納部の温度を、設定された温度に維持できないことがあった。
【０００７】
また、冷温切換手段を、温度設定ロック解除用押釦スイッチと、各商品収納部毎の温度切換用押釦スイッチおよび表示ランプの組み合わせとした場合、温度設定ロック解除用押釦スイッチを押す操作が面倒であったり、その操作方法がはじめての人には判りにくいという問題があった。また自動販売機の外扉内に設けることから、外扉内に配置される機器に前記カールコード等の揺動部がある場合、外扉を閉めたときに前記揺動部により押釦スイッチが押されて意図せずに温度設定が変更される恐れがあった。
【０００８】
また温（ＨＯＴ）を表示するランプと冷（ＣＯＬＤ）を表示するランプを設けているが、このような２つのランプでは、温（ＨＯＴ）と冷（ＣＯＬＤ）の中間的な温度、例えば常温に調整するとき、表示しずらいという問題があった。
【０００９】
そこで、本発明は、意図せずに、外扉の開閉などにより温度設定が変更されることを防止でき、また温度設定の操作が判りやすく、さらに常温の表示を容易とした自動販売機の冷温切換制御装置を提供することを目的としたものである。
【課題を解決するための手段】
【００１０】
前述した目的を達成するために、本発明のうち請求項１に記載の発明は、断熱構造の庫内空間に、複数の商品収納部がそれぞれ温度制御可能に設けられた自動販売機において前記各商品収納部の温度設定を切り換える冷温切換制御装置であって、前記各商品収納部毎に、商品収納部の温度設定を切り換える温度切換押釦スイッチを設け、前記各商品収納部毎に、前記温度切換押釦スイッチの押し操作に応じて商品収納部の温度設定を切り換える温度設定切換部を設け、前記各温度設定切換部において設定された各商品収納部の温度設定を表示する表示手段を設け、前記各温度設定切換部は、前記温度切換押釦スイッチが押されている時間を計測し、所定時間以上連続して押し操作されたときのみ、前記温度設定の切り換えを実行することを特徴とするものである。
【００１１】
上記構成によれば、温度切換押釦スイッチと表示手段の組み合わせを使用することにより、従来のスライドスイッチのように不可能な各商品収納部の温度設定の組み合わせが物理的に選択されてしまう恐れが回避され、また温度切換押釦スイッチが押されている時間を計測し、所定時間以上連続して押し操作されたときのみ、温度設定の変更を行うことにより、単に触れただけで温度設定が変更されることが防止される。
【００１２】
また請求項２に記載の発明は、請求項１に記載の発明であって、前記各温度設定切換部は、前記温度切換押釦スイッチが押されている時間が、所定時間未満のとき、所定時間以上前記温度切換押釦スイッチを押すように促すガイダンスを前記表示手段により表示させることを特徴とするものである。
【００１３】
上記構成によれば、温度切換押釦スイッチが押されている時間が所定時間未満のとき、温度設定が変更されないが、このとき、所定時間以上、前記温度切換押釦スイッチを押すように促すガイダンスが表示されることにより、温度設定が変更されない理由が報知される。
【００１４】
また請求項３に記載の発明は、請求項１または請求項２に記載の発明であって、前記各温度設定切換部は、前記温度切換押釦スイッチが押されている時間が異常に長いとき、前記温度切換押釦スイッチの押し操作による温度設定の変更をせずに、現状の温度設定を維持することを特徴とするものである。
【００１５】
上記構成によれば、温度切換押釦スイッチが押されている時間を計測し、あまりに長く連続して押し操作されているとき、温度設定の変更を行わない（切り換えない）ことにより、意図せずに温度設定が変更されることが防止される。
【００１６】
また請求項４に記載の発明は、断熱構造の庫内空間に、複数の商品収納部がそれぞれ温度制御可能に設けられた自動販売機において前記各商品収納部の温度設定を切り換える冷温切換制御装置であって、
前記各商品収納部毎に、商品収納部の温度設定を切り換える温度切換押釦スイッチを設け、前記各商品収納部毎に、前記温度切換押釦スイッチの押し操作に応じて商品収納部の温度設定を切り換える温度設定切換部を設け、前記各温度設定切換部において設定された各商品収納部の温度設定を表示する表示手段を設け、前記各温度設定切換部における前記温度設定の切り換えをロックし、また解除する温度設定切換ロック部を設け、前記温度設定切換ロック部は、いずれかの前記温度切換押釦スイッチが操作されると、その操作時間を計測し、前記操作された温度切換押釦スイッチが所定時間以上連続して押し操作されたとき、前記各温度設定切換部の前記温度設定の切り換えのロックを解除し、前記表示手段によりそのロックの解除を表示させ、前記各温度設定切換部は、前記温度設定切換ロック部により前記温度設定の切り換えのロックが解除され、各温度設定切換部に対応する温度切換押釦スイッチが操作されると、温度設定の切り換えを行い、前記表示手段により前記切り換えた温度設定を表示させることを特徴とするものである。
【００１７】
上記構成によれば、いずれかの温度切換押釦スイッチが所定時間以上連続して押し操作されたとき、温度設定の変更のロックが解除され、ロックが解除されて温度設定の変更が可能となったことがサービスマンヘ報知される。したがって、サービスマンはロック解除となったことを確認した上で、その後の温度設定の切り換えを行うことができる。また単に触れただけで温度設定が変更されることが防止される。そして温度切換押釦スイッチが押されると、この温度切換押釦スイッチに対応する商品収納部の温度設定の切り換えが実行され、前記表示手段により、切り換えた温度設定が表示される。
【００１８】
また請求項５に記載の発明は、請求項４に記載の発明であって、前記温度設定切換ロック部は、前記温度設定の切り換えのロックを解除した後、所定時間、前記温度切換押釦スイッチが操作されないと、または前記所定時間内に前記温度切換押釦スイッチが操作され、その後、前記所定時間経過すると、前記各温度設定切換部の温度設定の切り換えをロックすることを特徴とするものである。
【００１９】
上記構成によれば、温度設定の切り換えのロックを解除され、所定時間内にどの温度切換押釦スイッチも操作されないと、温度設定の切り換えがロックされ、また所定時間内に温度切換押釦スイッチが操作されると、その後、所定時間が経過すると、温度設定の切り換えがロックされる。
【００２０】
また請求項６に記載の発明は、請求項４または請求項５に記載の発明であって、前記温度設定切換ロック部は、最初にいずれかの前記温度切換押釦スイッチが操作されると、前記表示手段により所定時間以上前記温度切換押釦スイッチを押すように促すガイダンスを表示させることを特徴とするものである。
【００２１】
上記構成によれば、最初にいずれかの温度切換押釦スイッチが押されると、所定時間以上、前記温度切換押釦スイッチを押すように促すガイダンスが表示されることにより、温度切換押釦スイッチによる温度設定の条件が報知される。
【００２２】
また請求項７に記載の発明は、請求項１〜請求項６のいずれか１項に記載の発明であって、外扉の開状態にあることを検知する外扉開検知手段を設け、前記各温度設定切換部は、前記外扉開検知手段により外扉の開状態にあることが検知されていることを条件として、前記温度設定の切り換えを実行することを特徴とするものである。
【００２３】
上記構成によれば、外扉の開状態にあるときに温度設定が切り換えられることにより、サービスマンが外扉を開けることが、温度設定を切り換える条件とされ、意図せずに温度設定が変更されることが防止される。
【発明の効果】
【００２４】
本発明の自動販売機の冷温切換制御装置は、温度切換押釦スイッチと表示手段の組み合わせを使用することにより、従来のスライドスイッチのように不可能な各商品収納部の温度設定の組み合わせが物理的に選択されてしまう恐れを回避でき、また温度切換押釦スイッチが押されている時間を計測し、所定時間以上連続して押し操作されたとき、温度設定を切り換えることにより、意図せずに温度設定が変更されることを防止できる、という効果を有している。さらにたサービスマンが外扉を開けることが温度設定を切り換える条件とされることにより、また温度切換押釦スイッチが押されている時間が短いとき或いは異常に長いときに温度設定の変更を行わないことにより、意図せずに温度設定が変更されることを防止できる、という効果を有している。
【発明を実施するための最良の形態】
【００２５】
以下、本発明の実施の形態を、図面を参照しながら説明する。
本発明の自動販売機は、商品を冷却したり加温したりして販売可能な自動販売機であり、図１および図２に示すように、自動販売機本体１に開閉自在に外扉２が取り付けられ、自動販売機本体１内に、断熱性を有する内扉３にてその前面開口部を開閉可能な断熱構造の庫内空間（内箱）４が設けられており、庫内空間４に設けられた複数列（図では４列）の商品収納部５に缶などの商品６が多数収納されている。内扉３は、庫内空間４の前面開口部を閉塞している。また商品収納部５の下端部には、収納した商品６を順次払い出す払出装置２５（図４）が配設され、この払出装置にて払い出された商品６は、内扉３の下部に開口された商品排出口７に設けられた排出口扉８を通して、外扉２の下部の商品取出口９に払い出される。前記排出口扉８は、通常は商品排出口７を閉塞しており、商品収納部５から商品６が払い出されることにより商品排出口７を開口する。また庫内空間４は、断熱性を有するとともに上下並びに奥行き方向に延びる仕切壁１０により幅方向に対して複数（図では3つ）の断熱空間に仕切られている。そして、それぞれの断熱空間毎に温度設定（冷却設定または常温設定または加温設定）が可能であり、各断熱空間に対応して商品排出口７が設けられている。図２では、正面から見て左端の一列、その右隣の一列、他の２列が仕切壁１０で仕切られていてそれぞれ別個の商品収納部（断熱空間）５となるように配置されており、以下、左端の一列の商品収納部５を左庫、左庫の右隣の一列の商品収納部５を中庫、中庫の右隣の商品収納部５（他の２列）を右庫と称し、左庫、中庫、右庫毎に各庫の温度を調整する温度調整装置２６（図４）が設けられている。温度調整装置２６は、冷凍サイクルの蒸発器などの冷却手段と電熱ヒータなどの加温手段を備える。
【００２６】
図１に示すように、自動販売機本体１に開閉自在に取り付けられた外扉２には、前面に、販売する複数の商品サンプル１１、各商品サンプル１１に対応して配置された商品選択ボタン１２、商品を購入するときに硬貨を投入する硬貨投入口１３、同じく紙幣を投入する紙幣投入口１４、利用者が投入したコインなどの金額を表示する投入金額表示部１５、釣銭や投入金を返却させるための返却レバー１６、およびコイン返却口１７が設けられている。
【００２７】
また図２に示すように、外扉２の裏面に、自動販売機の各種の設定を行うリモコン形状の設定入力装置２１と、外扉２の開閉を検知する外扉開閉検知センサ（外扉開閉検知手段の一例）２２が設けられている。
【００２８】
前記設定入力装置２１には、図３に示すように、液晶表示器（表示手段の一例）３１と、前記左庫、中庫、右庫毎の温度設定を切り換える温度切換押釦スイッチ３２（以下、左庫スイッチ３２ａ，中庫スイッチ３２ｂ，右庫スイッチ３２ｃと称す）と、前記左庫、中庫、右庫毎に設定されている温度設定が、冷却（ＣＯＬＤ）設定か、常温設定か、加温（ＨＯＴ）設定かを表示する３個の３色｛（冷却；青）、（常温；緑）、（加温；赤）｝の発光ダイオードにより構成される表示ランプ３３（以下、左庫ランプ３３ａ，中庫ランプ３３ｂ，右庫ランプ３３ｃと称す；表示手段の一例）と、温度設定の切り換えを許容する書き込み押釦スイッチ３５等が設けられている。
【００２９】
また外扉２の内部には、図４に示す、コンピュータからなり自動販売機の各部を制御するコントローラ２３と、メモリ２４と、商品６を購入する際、硬貨投入口１３または紙幣投入口１４から投入される金銭を処理する金銭処理装置２７が設けられている。
【００３０】
上記コントローラ２３には、自動販売機としての機能を構成する、商品６の払出装置２５、金銭処理装置２７、および各庫の温度調整装置２６が接続され、さらに、各種入力機器を構成する、商品選択ボタン１２、返却レバー１６、設定入力装置２１、および外扉開閉検知センサ２２が接続され、さらに、投入金額表示部１５、およびメモリ２４が接続されており、コントローラ２３は、上記各種入力機器に基づいて上記装置２５，２６，２７の制御を実行し、実行する毎にメモリ２４へ、累計売上金額データ、商品別売上数データ、釣銭データ、売切れデータ、故障データなどのデータを記録または更新している。
［実施の形態１］
以下、コントローラ２３による、各庫の温度調整装置２６へ各庫の温度設定を出力する実施の形態１の冷温切換制御について図６〜図８に基づいて説明する。
【００３１】
実施の形態１では、冷温切換制御に、各庫の温度設定を切り換える際の条件を設定する４つの設定切換モードを有している。まず４つの設定切換モードを説明する。
各設定切換モードは、図５に示すように、外扉開閉検知センサ２２により検知される外扉２が開状態かどうかの条件と、左庫スイッチ３２ａ，中庫スイッチ３２ｂ，右庫スイッチ３２ｃのスイッチ押し時間の条件と、書き込み押釦スイッチ３５の押し操作の条件から構成されている。
「設定切換モード１」
外扉２の開状態を条件とし、スイッチ押し時間を２秒とする。書き込み押釦スイッチ３５の押し操作は条件としない。
「設定切換モード２」
外扉２の開状態と書き込み押釦スイッチ３５の押し操作は条件とせず、スイッチ押し時間を２秒とする。
「設定切換モード３」
外扉２の開状態を条件とし、スイッチ押し時間を０．２秒とする。書き込み押釦スイッチ３５の押し操作は条件としない。
「設定切換モード４」
外扉２の開状態を条件とせず、温度切換押釦スイッチ３２と書き込み押釦スイッチ３５が同時に押し操作され、同時に操作されるスイッチ押し時間を２秒とする。
【００３２】
これら設定切換モード１〜設定切換モード４はそれぞれ、コントローラ２３へ予め設定される。またこれら設定切換モードは、時間設定手段を兼ねることになる。
図６に示すように、コントローラ２３の冷温切換制御実行部は、モード設定部４０と、左庫温度設定切換部４１ａと、中庫温度設定切換部４１ｂと、右庫温度設定切換部４１ｃと、左庫点灯切換部４２ａと、中庫点灯切換部４２ｂと、右庫点灯切換部４２ｃと、表示制御部４３から構成されている。コントローラ２３により、温度設定切換部と温度組み合わせ判断部が形成されている。
【００３３】
モード設定部４０には、予め上記設定切換モード１〜設定切換モード４の一つが選択されており、選択された設定切換モードが、各温度設定切換部４１ａ，４１ｂ，４１ｃと表示制御部４３へ出力される。
【００３４】
上記各温度設定切換部４１ａ，４１ｂ，４１ｃはそれぞれ、各庫の温度調整装置２６へ温度設定の指令として、冷却（ＣＯＬＤ）、常温、加温（ＨＯＴ）のいずれかを出力する（詳細は後述する）。各庫の温度調整装置２６は、例えば冷却（ＣＯＬＤ）のとき５℃、常温のとき２０℃、加温（ＨＯＴ）のとき５５℃となるように各庫の温度を調整する。
【００３５】
また上記各点灯切換部４２ａ，４２ｂ，４２ｃにはそれぞれ各温度設定切換部４１ａ，４１ｂ，４１ｃより、設定された冷却（ＣＯＬＤ）、常温、加温（ＨＯＴ）のいずれかが入力され、入力された設定に対応する３色の中の１色の左庫ランプ３３ａ，中庫ランプ３３ｂ，右庫ランプ３３ｃを点灯あるいは点滅する。
【００３６】
また上記表示制御部４３は、各温度設定切換部４１ａ，４１ｂ，４１ｃより求められた表示を液晶表示器３１に表示させる。後述する「この組み合わせは設定できません。」のメッセージ、「２秒以上押して下さい。」「外扉を開けて下さい。」のガイダンスを表示させる。またモード設定部４０より入力した設定切換モードを液晶表示器３１に表示させる。なお、ガイダンスの内容は、予め表示制御部４３に設定される。
【００３７】
上記各温度設定切換部４１ａ，４１ｂ，４１ｃについて、左庫温度設定切換部４１ａを例にとって図７、図８により詳細に説明する。なお、中庫温度設定切換部４１ｂと右庫温度設定切換部４１ｃも同様の構成とされている。
【００３８】
図６に示すように、左庫温度設定切換部４１ａには、外扉開閉検知センサ２２と左庫スイッチ３２ａと書き込み押釦スイッチ３５と左庫の温度調整装置２６とモード設定部４０と中庫温度設定切換部４１ｂと右庫温度設定切換部４１ｃと表示制御部４３が接続されている。
「左庫スイッチ３２ａの押し時間が短いこと、および長いことを検出する手順」
左庫スイッチ３２ａの押し時間が短いこと、および長いことを検出する手順を図７（ａ）のフローチャートを参照しながら説明する。
【００３９】
左庫スイッチ３２ａがオンとなると（ステップ−１）、今までカウントしていた時間をリセットして左庫スイッチ３２ａの押し時間をカウントする（ステップ−２）。このカウントされている押し時間が第１所定時間（３秒から３０分の間で設定される）以上かどうかを確認し（ステップ−３）、第１所定時間以上となると、押し操作が長すぎるとして「押し時間が長時間である」を検出し（ステップ−４）、温度設定モードｎ（ｎ＝１；冷却、ｎ＝２；常温、ｎ＝３；加温）を、前回の温度設定のモードＮＡに戻す（ｎ＝ＮＡ）（詳細は後述する）。
【００４０】
上記ステップ−３において、カウントされている押し時間が第１所定時間未満のとき、左庫スイッチ３２ａがオフかどうかを確認し（ステップ−６）、確認すると、カウントされている押し時間が第２所定時間（２秒に設定）未満かどうかを確認し（ステップ−７）、カウントされている押し時間が２秒未満のとき、上記「２秒以上押して下さい。」のガイダンスを表示させる信号を表示制御部４３へ出力し、「２秒以上押して下さい。」を表示させる（ステップ−８）。
「設定切換モードにおける所定時間の設定手順」
設定切換モード１〜４により設定される第３所定時間の設定と、第４所定時間の設定の手順を図７（ｂ）のフローチャートを参照しながら説明する。
【００４１】
設定切換モード１または設定切換モード２かどうかを確認し（ステップ−１，２）、設定切換モード１または設定切換モード２のとき第３所定時間を２秒に設定し（ステップ−３）、設定切換モード１または設定切換モード２ではないとき、設定切換モード３かどうかを確認し（ステップ−４）、設定切換モード３のとき第３所定時間を０．２秒に設定し（ステップ−５）。また設定切換モード３ではないとき、すなわち設定切換モード４のとき、第４所定時間を２秒に設定する（ステップ−６）。
「各設定切換モードにおける温度設定の手順」
各設定切換モードにおける温度設定の手順を図８のフローチャートを参照しながら説明する。なお、初期の温度設定モード（通常モード）ｎは１（冷却）としている。
【００４２】
まず設定切換モードが設定切換モード１かどうか、設定切換モード２かどうか、設定切換モード３かどうかを確認する（ステップ−１〜３）。なお、設定切換モード１〜３のいずれでもないとき、設定切換モード４であることが確認される。
【００４３】
設定切換モード１または設定切換モード３のとき、左庫スイッチ３２ａがオンとなると（ステップ−４）、外扉開閉検知センサ２２により外扉２か開状態かどうかを確認し（ステップ−５）、外扉開閉検知センサ２２が閉状態を検出しているとき、外扉２を開けて左庫スイッチ３２ａを操作しているにも係らず、閉状態を検出していることから外扉開閉検知センサ２２が異常であると判断して表示制御部４３へ外扉開閉検知センサ異常を表示させる信号を出力し、液晶表示器３１へ外扉開閉検知センサ異常を表示させて（ステップ−６）、終了する。
【００４４】
またステップ−５において、外扉開閉検知センサ２２において開状態が検出されているとき、今までカウントしていた時間をリセットして左庫スイッチ３２ａの押し時間をカウントする（ステップ−７）。このカウントされている押し時間が上記第３所定時間（設定切換モード１＝２秒、設定切換モード３＝０．２秒）以上かどうかを確認し（ステップ−８）、第３所定時間以上となると、温度設定モードｎに１を加える（ｎ＝ｎ＋１）（ステップ−９）。続いてこの温度設定モードｎが４以上であるかどうかを確認し（ステップ−10）、確認すると、ｎを１に設定する（ｎ＝１）（ステップ−11）。温度設定モードｎは、１→２→３→１…と切り替わる。
【００４５】
また設定切換モード２のとき、左庫スイッチ３２ａがオンとなると（ステップ−12）、今までカウントしていた時間をリセットして左庫スイッチ３２ａの押し時間をカウントする（ステップ−13）。このカウントされている押し時間が上記第３所定時間（２秒）以上かどうかを確認し（ステップ−14）、第３所定時間以上となると、ステップ−８を実行し、温度設定モードｎに１を加える。
【００４６】
また設定切換モード４のとき、左庫スイッチ３２ａがオンとなると（ステップ−15）、書き込み押釦スイッチ３５がオンかどうかを確認し（ステップ−16）、オンのとき、今までカウントしていた時間をリセットして左庫スイッチ３２ａの押し時間をカウントする（ステップ−17）。このカウントされている押し時間が上記第４所定時間（２秒）以上かどうかを確認し（ステップ−18）、ステップ−９を実行し、温度設定モードｎに１を加える。
【００４７】
上記ステップ−11に続いて、この変更された温度設定モードｎが、中庫温度設定切換部４１ｂから入力されている中庫の温度設定（ｎ＝１または２または３）と、右庫温度設定切換部４１ｃから入力されている右庫の温度設定（ｎ＝１または２または３）との組み合わせにより、組み合わせが可能かどうかを判断する（ステップ−19）。
【００４８】
判断組み合わせ可能と判断すると、変更された温度設定モードｎを、前回の温度設定のモードＮＡとして記憶し（ＮＡ＝ｎ）（ステップ−20）、左庫点灯切換部４２ａと、温度調整装置２６と、中庫温度設定切換部４１ｂと、右庫温度設定切換部４１ｃへ出力する（ステップ−21）。左庫点灯切換部４２ａは、入力したｎ（温度設定）に応じて、表示ランプ３３のランプの色を変更し、よって設定の変更が表示される。また温度調整装置２６は、入力したｎ（温度設定）に応じて左庫内の温度を調整する。
【００４９】
またステップ−19において、組み合わせが不可、例えば、各庫が全て、「加温」となる（変更により全てのｎが３となる）と判断すると、変更された温度設定モードｎを前回の温度設定のモードＮＡへ戻し（ｎ＝ＮＡ）（ステップ−22）、上記「この組み合わせは設定できません。」のメッセージを表示させる信号を表示制御部４３へ出力する（ステップ−23）。このとき、温度設定モードｎは、左庫点灯切換部４２ａ、温度調整装置２６、中庫温度設定切換部４１ｂ、および右庫温度設定切換部４１ｃへ出力されることはなく、表示ランプ３３のランプの色が変更されたり、左庫内の温度が変更されたりすることはない。
【００５０】
上記温度設定切換部４１ａの動作により、各設定切換モードの条件に合致した左庫スイッチ３２ａが押し操作されると、操作される毎に、温度設定が「冷却」→「常温」→「加温」→「冷却」・・・の順に繰り返し切り換えられる。また左庫スイッチ３２ａの押し操作が短いと判断されると、「２秒以上押して下さい。」のガイダンスが表示され、押し操作時間が長いと判断されると、押し操作される前の温度設定が維持される（変更前の元の温度設定へ戻される）。また変更を意図する温度設定モードｎが、他の中庫、右庫の温度設定との組み合わせで不可と判断されるとき、「この組み合わせは設定できません。」のメッセージが表示され、温度設定の変更を認めず、押し操作される前の温度設定が維持される（ｎ＝ＮＡに設定され、変更前の元の温度設定へ戻される）。
【００５１】
なお、中庫温度設定切換部４１ｂと右庫温度設定切換部４１ｃは、左庫温度設定切換部４１ａと同様の構成とされており、説明は省略する。このとき、中庫温度設定切換部４１ｂには、左庫スイッチ３２ａに代えて、中庫スイッチ３２ｂが接続され、左庫温度設定切換部４１ａより温度設定（ｎ＝１または２または３）が入力される。また右庫温度設定切換部４１ｃには、左庫スイッチ３２ａに代えて、右庫スイッチ３２ｃが接続され、左庫温度設定切換部４１ａより温度設定（ｎ＝１または２または３）が入力される。
【００５２】
上記構成により、サービスマンが温度設定を変更する手順を説明する。
まず、サービスマンは、外扉２を開ける。
次に、設定入力装置２１の表示ランプ３３により、各庫の温度設定が、「冷却」（青が点灯）か、「常温」（緑が点灯）か、「加温」（赤が点灯）か確認する。
【００５３】
次に、設定切換モードを変更するかどうかを判断する。設定切換モードは、液晶表示器３１に表示されている。設定切換モードを変更したいとき、コントローラ２３の設定切換モードを再設定し、液晶表示器３１の設定切換モードが変更となることにより変更を確認する。なお、初期設定（通常モード）は設定切換モード１となっている。
【００５４】
次に、温度設定を変更する左庫、中庫、右庫の温度切換押釦スイッチ３２を操作する。設定切換モード１または設定切換モード２が選択されているとき、温度切換押釦スイッチ３２を２秒以上操作する。また設定切換モード３が選択されているとき、温度切換押釦スイッチ３２を０．２秒以上操作する。また設定切換モード４が選択されているとき、温度切換押釦スイッチ３２に加えて書き込み押釦スイッチ３５を同時に２秒以上操作する。
【００５５】
温度切換押釦スイッチ３２を押し操作する毎に、「冷却」→「常温」→「加温」→「冷却」・・・の順に繰り返し、温度設定が変更される。設定の変更は、表示ランプ３３において点灯する色が変化することにより確認する。なお、設定切換モード１または設定切換モード２または設定切換モード４において、押し操作の時間が、２秒未満と短いとき、「２秒以上押して下さい。」のガイダンスが液晶表示器３１に表示され、また変更しようとする温度設定が、他の各庫の温度設定との組み合わせで不可と判断されるとき、「この組み合わせは設定できません。」のメッセージが液晶表示器３１に表示され、温度設定は変更されない。また押し操作の時間があまりに長いと（第１所定時間より長いと）、温度設定は変更されない。
【００５６】
希望された温度設定となったことを確認すると、外扉２を閉めて、設定を終了する。
以上のように本実施の形態１によれば、温度切換押釦スイッチ３２と表示ランプ３３と液晶表示器３１の組み合わせを使用することにより、従来のスライドスイッチのように不可能な各商品収納部５の温度設定の組み合わせが物理的に選択されてしまう恐れを回避でき、また温度切換押釦スイッチ３２が所定時間以上連続して押し操作されたとき、温度設定の変更を行うことにより、意図せずに、例えば、単に温度切換押釦スイッチ３２に触れたときに、温度設定が変更されることを防止できる。さらに、温度切換押釦スイッチ３２と表示ランプ３３と液晶表示器３１の組み合わせを使用し、特別に温度設定のロックを解除するスイッチを設けなかったことにより、温度設定を簡単に実行でき、はじめての人でも簡単に操作することができる。
【００５７】
また本実施の形態１によれば、設定切換モード１または設定切換モード３を選択して、外扉２の開状態にあることを条件として温度設定が切り換えられることにより、サービスマンが外扉２を開けることが、温度設定を切り換える条件とされ、意図せずに、温度設定が変更されることを防止できる。
【００５８】
また本実施の形態１によれば、１つの温度設定切換部４１ａまたは４１ｂまたは４１ｃにおいて温度設定の変更が意図されると、他の温度設定切換部において設定されている温度設定との組み合わせを判断し、組み合わせが不可と判断すると、押し操作される前の温度設定が維持される（変更前の元の温度設定へ戻される）ことにより、不可能な各商品収納部５の温度設定の組み合わせが設定されることを回避でき、各商品収納部５の温度を設定された温度に維持できなくなる恐れを回避することができる。
【００５９】
また本実施の形態１によれば、変更された温度設定の組み合わせが不可と判断されると、押し操作される前の温度設定が維持される（変更前の元の温度設定へ戻される）が、このとき、組み合わせが不可であるメッセージが液晶表示器３１へ表示されることにより、温度設定の変更が不可であることを報知され、サービスマンは温度設定が変更できない理由を確認することができる。
【００６０】
また本実施の形態１によれば、各温度設定切換部４１ａ，４１ｂ，４１ｃにおいて温度設定を切り換える条件を、設定切換モード１〜４（外扉２の開状態条件と所定時間の条件と書き込み押釦スイッチ３５の押し操作の条件の組み合わせ）から任意に選択でき、客先毎の状況に応じて選択してもらうことができる。
【００６１】
また本実施の形態１によれば、温度切換押釦スイッチ３２が押されている時間が所定時間未満のとき、温度設定が変更されないが、このとき、所定時間以上、温度切換押釦スイッチ３２を押すように促すガイダンスが表示されることにより、サービスマンは温度設定が変更されない理由を確認することができる。
【００６２】
また本実施の形態１によれば、温度切換押釦スイッチ３２が、所定時間（３秒〜３０分）以上連続して押し操作されたとき、温度設定の変更を行わない（切り換えない）ことにより、意図せずに、例えば何らかの機器（例えば設定入力装置２１のカールコード）が連続して温度切換押釦スイッチ３２に接触したり、温度切換押釦スイッチ３２が故障したときに、温度設定が変更されることを防止できる。
【００６３】
また本実施の形態１によれば、常温が設定されたことを表示する緑色のランプ（表示ランプ３３）を設けたことにより、「常温」の設定を判りやすく容易に表示することができる。
［実施の形態２］
上記実施の形態１では、温度切換押釦スイッチ３２を操作すると、基本的には、温度設定の変更を行うことができるが、間違って、意図しない商品収納部５の温度切換押釦スイッチ３２を操作してしまうことがある。実施の形態２では、このように、操作を間違った場合にも、直ぐに訂正でき、温度設定が変更されないようにする。
【００６４】
以下、コントローラ２３による、各庫の温度調整装置２６へ各庫の温度設定を出力する実施の形態２の冷温切換制御について図９〜図１１に基づいて説明する。なお、実施の形態１と同じ構成には、同じ符号を付して説明を省略する。
【００６５】
コントローラ２３の冷温切換制御実行部は、図９に示すように、左庫温度設定切換部４６ａと、中庫温度設定切換部４６ｂと、右庫温度設定切換部４６ｃと、温度切換ロック部４７と、左庫点灯切換部４２ａと、中庫点灯切換部４２ｂと、右庫点灯切換部４２ｃと、表示制御部４３から構成されている。
【００６６】
まず、温度切換ロック部４７について、図１０により詳細に説明する。温度切換ロック部４７には、図９に示すように、外扉開閉検知センサ２２と左庫スイッチ３２ａと中庫スイッチ３２ｂと右庫スイッチ３２ｃと各温度設定切換部４６ａ，４６ｂ，４６ｃと表示制御部４３が接続されている。
【００６７】
いずれかの温度切換押釦スイッチ３２、すなわち左庫スイッチ３２ａまたは中庫スイッチ３２ｂまたは右庫スイッチ３２ｃがオンとなると（ステップ−１）、外扉開閉検知センサ２２により外扉２か開状態かどうかを確認する（ステップ−２）。
【００６８】
外扉開閉検知センサ２２が閉状態を検出しているとき、外扉２を開けていずれかの押釦スイッチを操作しているにも係らず、閉状態を検出していることから外扉開閉検知センサ２２が異常であると判断して表示制御部４３へ外扉開閉検知センサ異常を表示させる信号を出力し、液晶表示器３１へ外扉開閉検知センサ異常を表示させて（ステップ−３）、終了する。
【００６９】
またステップ−２において、外扉開閉検知センサ２２において開状態が検出されているとき、「２秒（所定時間）以上押して下さい。」のガイダンスを表示させる信号を表示制御部４３へ出力し、「２秒以上押して下さい。」を表示させる（ステップ−４）。続いて、今までカウントしていた時間をリセットして前記操作されている温度切換押釦スイッチ３２の押し時間をカウントする（ステップ−５）。このカウントされている押し時間が所定時間（２秒）以上かどうかを確認し（ステップ−６）、所定時間以上となると、各温度設定切換部４６ａ，４６ｂ，４６ｃへ温度設定のロックを解除する解除信号を出力する（ステップ−７）。
【００７０】
続いて今までカウントしていた時間をリセットして経過時間をカウントする（ステップ−８）。次に、全ての温度切換押釦スイッチ３２がオフかどうかを確認する（ステップ−９）。オフが確認されずにカウントし（ステップ−10）、カウントしていた経過時間が所定時間（例えば、５秒）以上となると（ステップ−11）、各温度設定切換部４６ａ，４６ｂ，４６ｃへ温度設定のロック信号を出力し（ステップ−15）、終了する。上記ステップ−９において、全ての温度切換押釦スイッチ３２がオフであることを確認すると、いずれかの温度切換押釦スイッチ３２、すなわち左庫スイッチ３２ａまたは中庫スイッチ３２ｂまたは右庫スイッチ３２ｃがオンとなるかどうかを確認する（ステップ−12）。いずれかの温度切換押釦スイッチ３２のオンが確認されずに、カウントし（ステップ−13）、経過時間が所定時間（例えば、５秒）以上となると（ステップ−14）、上記ステップ−15を実行し、各温度設定切換部４６ａ，４６ｂ，４６ｃへ温度設定のロック信号を出力し、終了する。
【００７１】
上記ステップ−12において、いずれかの温度切換押釦スイッチ３２のオンを確認すると、今までカウントしていた時間をリセットして再び全ての温度切換押釦スイッチ３２がオフかどうかの確認処理に戻る。
【００７２】
次に上記各温度設定切換部４６ａ，４６ｂ，４６ｃについて、左庫温度設定切換部４６ａを例にとって図１１により詳細に説明する。なお、中庫温度設定切換部４６ｂと右庫温度設定切換部４６ｃも同様の構成とされている。また図９に示すように、左庫温度設定切換部４１ａには、温度切換ロック部４７と外扉開閉検知センサ２２と左庫スイッチ３２ａと左庫の温度調整装置２６と中庫温度設定切換部４６ｂと右庫温度設定切換部４６ｃと表示制御部４３が接続されている。
【００７３】
まず、温度切換ロック部４７よりロックの解除信号を入力しているかどうかを確認し（ステップ−１）、確認すると、現在の温度設定のモードＮＡの点滅信号を左庫点灯切換部４２ａへ出力し、現在の温度設定の表示ランプ３３を点滅させ、ロックが解除されたことを報知させる（ステップ−２）。
【００７４】
この点滅状態のとき、温度切換ロック部４７よりロック信号を入力しているかを確認し（ステップ−３）、ロック信号を確認すると、温度設定モードｎを現在の温度設定のモードＮＡへ設定し（ｎ＝ＮＡ）（ステップ−４）、温度設定のモードＮＡの連続信号を左庫点灯切換部４２ａへ出力し、現在の温度設定の表示ランプ３３を連続点灯させて（ステップ−５）、終了する。
【００７５】
ステップ−３において、ロック信号を入力する前に、左庫スイッチ３２ａがオンされると（ステップ−６）、温度設定モードｎに１を加える（ｎ＝ｎ＋１）（ステップ−７）。続いてこの温度設定モードｎが４以上であるかどうかを確認し（ステップ−８）、確認すると、ｎを１に設定する（ｎ＝１）（ステップ−９）。温度設定モードｎは、１→２→３→１…と切り替わる。
【００７６】
続いて、この変更された温度設定モードｎが、中庫温度設定切換部４６ｂから入力されている中庫の温度設定（ｎ＝１または２または３）と、右庫温度設定切換部４６ｃから入力されている右庫の温度設定（ｎ＝１または２または３）との組み合わせにより、組み合わせが可能かどうかを判断する（ステップ−10）。
【００７７】
組み合わせが不可、例えば、各庫が全て、「加温」となる（変更により全てのｎが３となる）と判断すると、「この組み合わせは設定できません。」のメッセージを表示させる信号を表示制御部４３へ出力し（ステップ−11）、ステップ−４へ飛び、温度設定をロックし、変更された温度設定モードｎを前回の温度設定のモードＮＡへ戻し（ｎ＝ＮＡ）、現在の温度設定の表示ランプ３３を連続点灯させる。このとき、変更された温度設定モードｎは、温度調整装置２６、中庫温度設定切換部４６ｂ、および右庫温度設定切換部４６ｃへ出力されることはなく、表示ランプ３３のランプの色が変更されたり、左庫内の温度が変更されたりすることはない。
【００７８】
またステップ−１０において、判断組み合わせ可能と判断すると、変更された温度設定モードｎの点滅信号を左庫点灯切換部４２ａへ出力し、変更された温度設定の表示ランプ３３を点滅させ（ステップ−12）、再度、左庫スイッチ３２ａがオンされると（ステップ−13）、ステップ−７へ戻り、温度設定モードｎを変更する。左庫スイッチ３２ａがオンされないで、そのまま温度切換ロック部４７よりロック信号を入力していることを確認すると（ステップ−14）、変更された温度設定のモードｎを確定し（ステップ−15）、確定された温度設定のモードｎを前回の温度設定のモードＮＡとして記憶し（ＮＡ＝ｎ）（ステップ−16）、確定された温度設定のモードｎの連続信号を左庫点灯切換部４２ａへ出力し、変更された温度設定の表示ランプ３３を連続点灯させ（ステップ−17）、変更された温度設定のモードｎを温度調整装置２６と、中庫温度設定切換部４６ｂと、右庫温度設定切換部４６ｃへ出力し（ステップ−18）、終了する。また温度調整装置２６は、入力したｎ（温度設定）に応じて左庫内の温度を調整する。
【００７９】
上記温度切換ロック部４７とおよび温度設定切換部４６ａの動作により、まずいずれかの温度切換押釦スイッチ３２が押し操作されると、外扉２が開状態であることを条件として、「２秒以上押して下さい。」のガイダンスが表示される。そして、前記押釦スイッチ３２が２秒以上押されると、温度設定のロックが解除され、現在の温度設定を表示している全ての表示ランプ３３ａ，３３ｂ，３３ｃが点滅され、温度設定のロックが解除され変更可能となったことが報知される。
【００８０】
この状態で、例えば、左庫スイッチ３２ａが押し操作されると、今回変更された温度設定を表示している表示ランプ３３が点滅され、温度設定変更が表示される。温度設定は「冷却」→「常温」→「加温」→「冷却」・・・の順に繰り返し切り換えられる。そして、所定時間（５秒）経過すると、温度切換ロック部４７により温度設定がロックされ、温度設定が確定し、温度設定が自動的にロックされ、温度設定が出力され、点滅していた表示ランプ３３が連続点灯にされる。
【００８１】
また温度設定のロックが解除された状態で、所定時間（５秒）いずれの温度切換押釦スイッチ３２も操作されないと、温度設定がロックされ、押し操作される前の温度設定のままとなり、点滅していた表示ランプ３３がそのまま連続点灯となる。
【００８２】
また変更を意図する温度設定が、他の中庫、右庫の温度設定との組み合わせで不可と判断されるとき、「この組み合わせは設定できません。」のメッセージが表示され、温度設定の変更を認めず、押し操作される前の温度設定が維持される（変更前の元の温度設定へ戻される）。
【００８３】
なお、中庫温度設定切換部４６ｂと右庫温度設定切換部４６ｃは、左庫温度設定切換部４１ａと同様の構成とされており、説明は省略する。このとき、中庫温度設定切換部４６ｂには、左庫スイッチ３２ａに代えて、中庫スイッチ３２ｂが接続され、左庫温度設定切換部４６ａより温度設定（ｎ＝１または２または３）が入力される。また右庫温度設定切換部４６ｃには、左庫スイッチ３２ａに代えて、右庫スイッチ３２ｃが接続され、左庫温度設定切換部４６ａより温度設定（ｎ＝１または２または３）が入力される。
【００８４】
上記構成により、サービスマンが温度設定を変更する手順を説明する。
まず、サービスマンは、外扉２を開ける。
次に、設定入力装置２１の表示ランプ３３により、各庫の温度設定が、「冷却」（青が点灯）か、「常温」（緑が点灯）か、「加温」（赤が点灯）か確認する。
【００８５】
次に、いずれかの温度切換押釦スイッチ３２を操作する。このとき液晶表示器３１のガイダンスにしたがって温度切換押釦スイッチ３２を２秒以上操作する。すると、現在の連続点灯している全ての表示ランプ３３が点滅に変わり、温度設定のロックが解除されたこと、温度設定が変更可能となったことが報知される。サービスマンはロック解除となったことを確認する。また温度設定を変更する意図がなく、操作してしまったとき、そのまま５秒放置すると、全ての表示ランプ３３が連続点灯に戻り、温度設定の変更はされない。
【００８６】
温度設定の変更を希望する商品収納部５の温度切換押釦スイッチ３２を押し操作するとと、「冷却」→「常温」→「加温」→「冷却」・・・の順に、温度設定が変更される。設定の変更は、表示ランプ３３において点灯する色が変化し、点滅することにより確認する。またこの点滅状態で、所定時間（５秒）が経過すると、温度設定の変更が確定し、表示ランプ３３の連続点灯に戻る。
【００８７】
なお、変更しようとする温度設定が、他の各庫の温度設定との組み合わせで不可と判断されるとき、「この組み合わせは設定できません。」のメッセージが液晶表示器３１に表示され、温度設定は変更されない。
【００８８】
希望された温度設定となったことを確認すると、外扉２を閉めて、設定を終了する。
以上のように本実施の形態２によれば、外扉２の開状態にあるときに温度設定が切り換えられることにより、サービスマンが外扉２を開けることが、温度設定を切り換える条件とされ、意図せずに温度設定が変更されることを防止でき、また外扉２の開状態にあるときに、温度切換押釦スイッチ３２が押されると、所定時間以上、温度切換押釦スイッチ３２を押すように促すガイダンスが表示されることにより、サービスマンに、温度切換押釦スイッチ３２による温度設定の条件を報知することができ、はじめての人でも簡単に操作することができる。また温度切換押釦スイッチ３２が所定時間（２秒）以上連続して押し操作されたとき、温度設定の変更のロックが解除され、現在の連続点灯している表示ランプ３３が点滅状態となることにより、ロックが解除されて温度設定の変更が可能となったことがサービスマンヘ報知され、したがってサービスマンはロック解除となったことを確認した上で、その後の温度設定の切り換えを行うことができる。またサービスマンは誤って操作したことに気づいたとき、そのまま放置すると温度設定が変更されず、ロック状態に戻り、誤設定を少なくすることができる。そして希望する商品収納部５の温度切換押釦スイッチ３２が押されると、温度設定が変更され、さらに所定時間経過すると、切り換えがロックされ、温度設定の変更が確定され、表示ランプ３３により温度設定の切り換え実行が表示されることにより、サービスマンは間違えることなく、確実に確認して温度設定の変更を行うことができる。
【００８９】
また温度切換押釦スイッチ３２と表示ランプ３３と液晶表示器３１の組み合わせを使用することにより、従来のスライドスイッチのように不可能な各商品収納部５の温度設定の組み合わせが物理的に選択されてしまう恐れを回避でき、また温度切換押釦スイッチ３２が所定時間（２秒）以上連続して押し操作されたとき、温度設定のロックの解除を行うことにより、意図せずに、例えば、単に温度切換押釦スイッチ３２に触れたときに、温度設定のロックが解除される恐れを防止できる。
【００９０】
なお、本実施の形態１，２では、温度設定を表示する表示ランプ３３を３個の３色の発光ダイオードにより構成しているが、２色発光ダイオード（１つのＬＥＤユニットに２色の光源が封入されているタイプ）や３色発光ダイオード（１つのＬＥＤユニットに３色の光源が封入されているタイプ）を使用して表示ランプ３３を構成するようにしてもよい。また図１２に示すように、表示ランプ３３をなくして、温度設定を液晶表示器３１に表示させるようにしてもよい。
【００９１】
また本実施の形態１では、４つの設定切換モードを設けて温度設定を切り換える条件を選択できるようにしているが、通常モードである設定切換モード１を除いた、設定切換モード２〜設定切換モード４は、必ずしも全て必要ではない。また他の設定切換モードをさらに加えることも可能である。
【００９２】
また本実施の形態１では、変更された温度設定の組み合わせ判断を各温度設定切換部４１で実行しているが、別途、組み合わせ判断部を設けて、組み合わせ判断部において、組み合わせの可否を判断してもらうようすることもできる。
【００９３】
また本実施の形態１，２では、温度設定を、３つの「冷却」、「常温」、「加温」としているが、「冷却」と「加温」の２つの場合、さらに温度設定を増した場合とすることも可能である。
【００９４】
また本実施の形態１では、４つの設定切換モードの選択をコントローラ２３への設定によって行うようにしているが、設定入力装置２１に各設定切換モードに対応するモード選択押釦スイッチを設けて選択するようにしてもよい。このとき、後操作が優先され、またこれらモード選択押釦スイッチは時間設定手段を兼ねることになる。このようにモード選択押釦スイッチを設けて、温度設定を切り換えることができるようにすることにより、サービスマンは任意に、連続して押し操作する時間（所定時間）を変更することができる。
【００９５】
また本実施の形態１の設定切換モード１と設定切換モード３、および実施の形態２では、外扉２が開状態であることを温度設定の条件としているため、外扉２が開状態ではないとき、温度設定を行うことができない。そこで、外扉２が開状態ではないとき、表示制御部４３を介して「外扉を開けてください」のガイダンスを液晶表示器３１へ表示させるようにすることもできる。
【００９６】
また本実施の形態１，２では、外扉２が閉状態のときに、温度切換押釦スイッチ３２が連続して操作されていることについては確認していないが、設定入力装置２１のコード等により、温度切換押釦スイッチ３２が連続して操作される恐れがあるときは、外扉開閉検知センサ２２が閉状態を確認していることを条件に、いずれかの温度切換押釦スイッチ３２が連続して操作されていることを検出し、報知するように（例えば、投入金額表示部１５へ表示するように）することも可能である。
【００９７】
また本実施の形態１，２では、温度切換押釦スイッチ３２を商品収納部５毎に用意しているが、図１３に示すように、１個のみとして、これを押す毎に、温度設定可能な組合せを順番に切り換えるようにすることも可能である。
【図面の簡単な説明】
【００９８】
【図１】本発明の実施の形態における自動販売機の冷温切換制御装置を備えた自動販売機の全体斜視図である。
【図２】同自動販売機の、外扉を開けた状態の斜視図である。
【図３】同自動販売機の設定入力装置の正面図である。
【図４】同自動販売機の制御構成図である。
【図５】本発明の実施の形態１における自動販売機のコントローラの冷温切換制御部におけるモード説明図である。
【図６】同自動販売機のコントローラの冷温切換制御部のブロック図である。
【図７】同自動販売機のコントローラの冷温切換制御部のフローチャートである。
【図８】同自動販売機のコントローラの冷温切換制御部のフローチャートである。
【図９】本発明の実施の形態２における自動販売機のコントローラの冷温切換制御部におけるモード説明図である。
【図１０】同自動販売機のコントローラの温度切換ロック部のブロック図である。
【図１１】同自動販売機のコントローラの冷温切換制御部のブロック図である。
【図１２】本発明の他の実施の形態における自動販売機の設定入力装置の要部正面図である。
【図１３】本発明の他の実施の形態における自動販売機の設定入力装置の要部正面図である。
【符号の説明】
【００９９】
１    自動販売機本体
２    外扉
３    内扉
４    庫内空間
５    商品収納部
６    商品
２１  設定入力装置
２２  外扉開閉検知センサ
２３  コントローラ
２６  温度調整装置
３１  液晶表示器
３２  温度切換押釦スイッチ
３３  表示ランプ
３４  モード選択押釦スイッチ
３５  書き込み押釦スイッチ
４０  モード設定部
４１，４６  温度設定切換部
４２  点灯切換部
４３  表示制御部
４７  温度切換ロック部
【図１】
0004812465.tif 000002
【図２】
0004812465.tif 000003
【図３】
0004812465.tif 000004
【図４】
0004812465.tif 000005
【図５】
0004812465.tif 000006
【図６】
0004812465.tif 000007
【図７】
0004812465.tif 000008
【図８】
0004812465.tif 000009
【図９】
0004812465.tif 000010
【図１０】
0004812465.tif 000011
【図１１】
0004812465.tif 000012
【図１２】
0004812465.tif 000013
【図１３】
0004812465.tif 000014